(57)【要約】      （修正有）【課題】子扉の親扉に対するがたつきの防止を図った子扉付きドアを提供する。【解決手段】子扉付きドアは、親扉と、該親扉に形成された子扉開口部に開閉自在に設けられた子扉３と、を備える。子扉には、親扉に対する施錠部５が設けられ、施錠部が、子扉の見込面に進退自在に設けられた凸状のロック部６、８と、子扉の閉状態において、子扉開口部におけるロック部に対向する位置に設けられてロック部を進入させる凹状のロック受け部と、を有し、ロック部及びロック受け部の組が、上下及び子扉の戸先側の３方向に設けられ、かつ、ロック部が、先端に向かうに従って、子扉回動方向の一方から他方側に近付く方向に傾斜する傾斜面６３、８３を有し、ロック部がロック受け部内に進入する際に、傾斜面がロック受け部の縁に当接する。【選択図】図５
0003189155.tif 000002
【実用新案登録請求の範囲】
【請求項１】
親扉と、該親扉に形成された子扉開口部に開閉自在に設けられた子扉と、を備え、前記子扉開口部にヒンジを介して回動自在に、前記子扉が連結される子扉付きドアであって、
前記子扉が、その回動方向の一方から他方側に向かって閉じられるものであり、
前記子扉には、前記親扉に対する施錠部が設けられ、
前記施錠部が、前記子扉の見込面に進退自在に設けられた凸状のロック部と、前記子扉の閉状態において、子扉開口部における前記ロック部に対向する位置に設けられて前記ロック部を進入させる凹状のロック受け部と、を有し、
前記ロック部及び前記ロック受け部の組が、上下及び子扉の戸先側の３方向に設けられ、かつ、
少なくとも上下方向に設けられた前記ロック部が、先端に向かうに従って、前記子扉回動方向の一方から他方側に近付く方向に傾斜する傾斜面を有し、
前記ロック部が前記ロック受け部内に進入する際に、前記傾斜面が前記ロック受け部の縁に当接することを特徴とする子扉付きドア。
【請求項２】
閉状態における前記子扉と前記親扉との隙間を、前記一対の見付面のうち少なくとも前記他方側から被覆する被覆部を備え、
前記ロック部が前記ロック受け部内に進入した状態で、前記子扉が前記被覆部に押し付けられていることを特徴とする請求項１記載の子扉付きドア。
【考案の詳細な説明】
【技術分野】
【０００１】
本考案は、親扉と、該親扉に形成された子扉開口部に開閉自在に設けられた子扉と、を備えた子扉付きドアに関する。
【背景技術】
【０００２】
特許文献１には、非常脱出扉付きドアが開示されている。非常脱出扉付きドアは、枠体と、この枠体に開閉自在に支持されるとともに開口を有して枠状のドア本体と、ドア本体の開口に開閉自在に支持される非常脱出用の非常脱出扉と、この非常脱出扉をドア本体に施解錠させる施錠装置と、を備えて構成されている。この施錠装置は、ドア本体から非常脱出扉側へ突没自在に設けられて非常脱出扉をドア本体に施錠する脱出扉用係合部と、回転させることで、脱出扉用係合部を突没させる回転操作部と、を備えて構成されている。こうして、特許文献１に開示された非常脱出扉付きドアは、回転操作部を操作することで、非常脱出扉を室内側から解錠して脱出した後に、非常脱出扉を室外側から施錠することで、脱出後の防犯性の確保を図っている。
【先行技術文献】
【特許文献】
【０００３】
【特許文献１】特開平１０−１４８０６７号公報
【考案の概要】
【考案が解決しようとする課題】
【０００４】
しかしながら、上述した従来の非常脱出扉付きドアにあっては、非常脱出扉が、ドア本体に対してがたつく場合があった。また、ドア本体と非常脱出扉とががたついた状態で、回動操作部を操作した際に、脱出扉用係合部の先端部が、ドア本体における脱出扉用係合部に係合する受け部近傍の縁に突き当たり、この脱出扉用係合部を突没させることが困難となる。
【０００５】
本考案は、子扉の親扉に対するがたつきの防止を図った子扉付きドアを提供することを目的とする。
【課題を解決するための手段】
【０００６】
請求項１に記載の考案は、上記目的を達成するために、親扉と、該親扉に形成された子扉開口部に開閉自在に設けられた子扉と、を備え、前記子扉開口部にヒンジを介して回動自在に、前記子扉が連結される子扉付きドアであって、前記子扉が、その回動方向の一方から他方側に向かって閉じられるものであり、前記子扉には、前記親扉に対する施錠部が設けられ、前記施錠部が、前記子扉の見込面に進退自在に設けられた凸状のロック部と、前記子扉の閉状態において、子扉開口部における前記ロック部に対向する位置に設けられて前記ロック部を進入させる凹状のロック受け部と、を有し、前記ロック部及び前記ロック受け部の組が、上下及び子扉の戸先側の３方向に設けられ、かつ、少なくとも上下方向に設けられた前記ロック部が、先端に向かうに従って、前記子扉回動方向の一方から他方側に近付く方向に傾斜する傾斜面を有し、前記ロック部が前記ロック受け部内に進入する際に、前記傾斜面が前記ロック受け部の縁に当接することを特徴とする子扉付きドアである。
【０００７】
請求項２に記載の考案は、請求項１記載の考案において、閉状態における前記子扉と前記親扉との隙間を、前記一対の見付面のうち少なくとも前記他方側から被覆する被覆部を備え、前記ロック部が前記ロック受け部内に進入した状態で、前記子扉が前記被覆部に押し付けられていることを特徴とする。
【考案の効果】
【０００８】
請求項１に記載の本考案によれば、子扉には、親扉に対する施錠部が設けられ、施錠部が、子扉の見込面に進退自在に設けられた凸状のロック部と、子扉の閉状態において、子扉開口部におけるロック部に対向する位置に設けられてロック部を進入させる凹状のロック受け部と、を有し、ロック部及びロック受け部の組が、上下及び子扉の戸先側の３方向に設けられ、かつ、ロック部が、その先端に向かうに従って、子扉回動方向の一方から他方側に近付く方向に傾斜する傾斜面を有し、ロック部がロック受け部内に進入する際に、傾斜面がロック受け部の縁に当接する。これにより、子扉が親扉に対して奥行き方向に位置決めされることとなる。よって、子扉のロック状態において、子扉が親扉に対してがたつくことの防止を図ることができる。
【０００９】
このように、子扉のロック状態において、子扉が親扉に対してがたつくことの防止を図ることができるから、例えば、親扉を開閉した際や、風圧などに生じる、子扉の親扉に対するがたつきに起因する異音の発生の防止を図ることができる。
【００１０】
ここで、例えば、子扉と親扉とを連結するヒンジを固定するためのネジが緩んで、子扉が親扉に対してがたついた状態であったとしても、子扉が、傾斜面の傾斜に沿って親扉に対して移動され、親扉に対して位置決めされてロックされる。即ち、子扉が親扉に対してがたついた状態であっても、ロック部に傾斜面が形成されているから、ロック部の先端がロック受け部の縁に突き当たることなく、ロック部の傾斜面がロック受け部の縁に当接することとなる。よって、傾斜面の傾斜に沿って、ロック部をロック受け部内にスムーズに進入させることができる。そして、子扉が親扉に対して奥行き方向に位置決めされることとなる。つまり、子扉が親扉に対してがたついた状態であったとしても、子扉をロックすることで、子扉の親扉に対するがたつきを小さくすることができる。
【００１１】
請求項２に記載の本考案によれば、閉状態における子扉と親扉との隙間を、少なくとも他方側から被覆する被覆部を備え、子扉が施錠部により施錠された状態で、子扉が被覆部に押し付けられている。即ち、傾斜面の傾斜に沿って子扉が親扉に対して位置決めされてロックされる。この際、子扉が被覆部に押し付けられているから、子扉のロック状態において、より一層、親扉に対するがたつきの防止を図ることができる。
【００１２】
また、被覆部が、閉状態における子扉と親扉との隙間を少なくとも他方側から被覆するから、例えば、他方側から見て、子扉と親扉との隙間が露出することがなくなる。これにより、子扉付きドアの外観を美しいものとすることができる。さらに、親扉と子扉とが同一の鋼板から構成された場合には、被覆部により、子扉の存在を隠すことができ、防犯性の確保を図ることができる。
【図面の簡単な説明】
【００１３】
【図１】本考案の一実施の形態にかかる子扉付きドアにおいて、親扉が開かれた状態を示す斜視図である。
【図２】図１に示された子扉付きドアにあって、子扉が開かれた状態を示す斜視図である。
【図３】（Ａ）は、図１に示された子扉付きドアの縦断面図であり、（Ｂ）は、図１に示された子扉付きドアの横断面図である。
【図４】図３に示された子扉付きドアであって、親扉及び子扉がそれぞれ開閉される際の動作を説明するための図である。
【図５】図１に示された子扉付きドアにあって、（Ａ）は子扉のロック部が突出した状態を示す側面図であり、（Ｂ）は（Ａ）の正面図である。
【図６】図１に示された子扉付きドアにあって、子扉の親扉に対する施錠部の概要を示す平面図である。
【図７】図６に示された施錠部の分解斜視図である。
【考案を実施するための形態】
【００１４】
以下、本考案に係る子扉付きドアの一実施の形態を、図１乃至図７を参照して説明する。図１〜図４に示すように、子扉付きドア１は、親扉２と、この親扉２に形成された子扉開口部２０（図２に示す）に開閉自在に設けられ、内開きすることで開状態となる子扉３と、を備えて構成されている。子扉付きドア１は、閉状態の子扉３、及び親扉２により長方形板状に構成されている。そして、閉状態の子扉３、及び親扉２が、一方側の空間（室内）と、他方側の空間（室外）と、を仕切っている。
【００１５】
親扉２は、図１に示すように、構造体の出入口に固定された枠体４に、親扉ヒンジ１８を介して開閉自在に連結されている。この親扉ヒンジ１８は、上下方向に間隔をあけて３個設けられている。子扉３は、親扉２に形成された子扉開口部２０に、子扉スプリングヒンジ１９（図４（Ｂ）に示す）を介して開閉自在に連結されている。この子扉スプリングヒンジ１９が、子扉３を閉じる方向に付勢している。親扉ヒンジ１８及び子扉スプリングヒンジ１９は、それぞれ、軸が上下方向に沿うように設置されている。
【００１６】
親扉２は、中央部に平面視が長方形状の子扉開口部２０を有しているとともに、親扉２の外周における長手方向及び幅方向が、それぞれ、枠体４の内周における長手寸法及び幅寸法よりも僅かに小さくなるように形成されている。子扉３は、その長手寸法及び幅寸法が、それぞれ、子扉開口部２０の長手寸法及び幅寸法よりも僅かに小さくなるように形成されている。
【００１７】
ここで、親扉２及び子扉３の長手方向を矢印Ｙで示し、親扉２及び子扉３の幅方向を矢印Ｘで示し、親扉２及び子扉３の長手方向Ｙと親扉２及び子扉３の幅方向Ｘとに直交する方向を矢印Ｚで示す。また、本明細書においては、矢印Ｙを上下方向又は高さ方向と記し、矢印Ｘを左右方向と記し、矢印Ｚを厚さ方向又は奥行方向と記す場合がある。また、本明細書において、矢印Ｚ方向の一方側（図３（Ｂ）、図４中の上方側）は室内空間であり、子扉付きドア１を隔てて、他方側（図３（Ｂ）、図４中の下方側）は室外空間を成している。さらに、本明細書において、閉状態の子扉３及び親扉２の矢印Ｚ方向の一方側、及び他方側の面を「見付面」と記し、これら一方及び他方の見付面に連続されるこれら扉の端面を「見込面」と記す場合がある。
【００１８】
枠体４は、図３（Ａ）（Ｂ）に示すように、軸が奥行き方向（矢印Ｚ方向）に延在する四角筒状の枠体第１周壁４１と、軸が奥行き方向に延在し、かつ、枠体第１周壁４１よりも枠体４の開口面内方向側に位置する四角筒状の枠体第２周壁４２と、これらの枠体第１周壁４１、枠体第２周壁４２を連結する枠体連結壁４３と、を備えている。枠体第１周壁４１は、枠体第２周壁４２よりも子扉３の閉じ方向側（室外側）に設けられている。
【００１９】
親扉２及び子扉３は、室内外２枚の鋼板に打ち抜き、打ち抜かれた鋼板の周縁に折り曲げ加工を施すことで形成されている。このように、打ち抜き加工が施されることで形成された鋼板から構成された子扉付きドア１にあっては、図３（Ａ）（Ｂ）に示すように、枠体４と親扉２との間に隙間１０、及び、親扉２と子扉３との間に隙間１１を有している。子扉付きドア１には、枠体４と親扉２との間に隙間１０を埋める環状の親扉気密ゴム１２と、親扉２と子扉３との隙間１１を埋める環状の子扉気密ゴム１３と、が設けられているとともに、親扉２と子扉３との隙間１１を室外（他方）側から被覆する室外側化粧モール１４（被覆部）と、親扉２と子扉３との隙間１１よりも子扉開口部２０の面外方向側、即ち親扉２の子扉開口部２０側の端部に固着された室内側化粧モール１５と、が設けられている。即ち、本実施形態においては、室内側化粧モール１５は、親扉２と子扉３との隙間１１を被覆していない。なお、図３（Ａ）（Ｂ）において、親扉気密ゴム１２及び子扉気密ゴム１３の断面を示すハッチングは省略されている。
【００２０】
親扉２は、図３（Ａ）（Ｂ）に示すように、奥行き方向（矢印Ｚ方向）に互いに対向する一対の親扉見付部２１、２２（以下、一対の親扉見付面と記すとともに、室外側の見付面に符号２１を付し、室内側の見付面に符号２２を付す）と、枠体第１周壁４１に対向する第１、第２対向部２３、２４、及び、枠体連結壁４３に対向する第３対向部２５と、子扉３の子扉第１周壁３３（後述する）に対向する第４対向部２６と、子扉３の子扉第２周壁３４（後述する）に対向する第５対向部２７と、子扉３の子扉連結壁３５に対向して設けられているとともに、これらの第４対向部２６及び第５対向部２７を連結する親扉２連結壁２８と、第５対向部２７と子扉第２周壁３４との間にこれらに対向して設けられる第６対向部２９と、を備えている。第２対向部２４は、第１対向部２３よりも子扉開口部２０の面内方向側に位置し、第５対向部２７は、第４対向部２６よりも子扉開口部２０の面内方向側に位置して設けられている。第１対向部２３は、第２対向部２４よりも子扉３の閉じ方向側（室外側）に、第５対向部２７は、第４対向部２６よりも子扉３の閉じ方向側（室外側）に設けられている。
【００２１】
子扉３は、図３（Ａ）（Ｂ）に示すように、奥行き方向（矢印Ｚ方向）に互いに対向する一対の子扉見付部３１、３２（以下、一対の子扉見付面と記すとともに、室外側の見付面に符号３１を付し、室内側の見付面に符号３２を付す）と、軸が奥行き方向に延在する四角筒状の子扉第１周壁３３と、軸が奥行き方向に延在し、かつ、子扉第１周壁３３よりも子扉３の面内方向側に位置する子扉第２周壁３４と、これらの子扉第１、第２周壁３３、３４を連結する子扉連結壁３５と、を備え、内部に、断熱性や防音性を有する充填材が充填されて中実に構成されている。子扉第２周壁３４は、子扉第１周壁３３よりも子扉３の閉じ方向側（室外側）に設けられている。
【００２２】
即ち、枠体４と親扉２との隙間１０は、親扉２の閉状態において、枠体第１周壁４１、枠体第２周壁４２、枠体連結壁４３、親扉２の第１対向部２３、第２対向部２４、及び、第３対向部２５、から構成されている。親扉２と子扉３との隙間１１は、子扉３の閉状態において、親扉２の第４対向部２６、第６対向部２９、親扉２連結壁２８、子扉３の子扉第１周壁３３、子扉第２周壁３４、及び、子扉連結壁３５、から構成されている。
【００２３】
親扉気密ゴム１２は、図３（Ａ）（Ｂ）に示すように、枠体４と親扉２との隙間１０に、断面Ｌ字状の折曲片１６を介して配置されている。折曲片１６は、第１板材１６Ａと、第２板材１６Ｂと、を備え、これらの板材１６Ａ、１６Ｂの境界で略直角に曲げられることで構成されている。この折曲片１６は、第１板材１６Ａが、枠体連結壁４３の室外側に重ねて設けられ、第２板材１６Ｂが、親扉２の第２対向部２４の枠体４側に重ねて設けられている。こうして親扉気密ゴム１２は、Ｌ字状の折曲片１６と、枠体第１周壁４１と、親扉２の第３対向部２５と、に囲まれて配置されている。これにより、親扉２の閉状態において、枠体４と親扉２との隙間１０を塞いでいる。
【００２４】
子扉気密ゴム１３は、図３（Ａ）（Ｂ）に示すように、子扉３の閉状態において、親扉２と子扉３との隙間１１に配置されている。子扉気密ゴム１３は、子扉３の閉状態において、第５対向部２７と第６対向部２９との間に挟持されているとともに、親扉２の室外側の見付面２１と子扉連結壁３５との間に挟持されて、親扉２の第５対向部２７及び第６対向部２９と、親扉２の室外側の見付面２１と子扉連結壁３５とに囲まれて配置されている。これにより、子扉３の閉状態において、親扉２と子扉３との隙間１１を塞いでいる。このような子扉付きドア１は、親扉気密ゴム１２が、枠体４と親扉２との隙間１０を埋めるように配置され、子扉気密ゴム１３が、親扉２と子扉３との隙間１１を埋めるように配置されているから、室外と室内との気密性、断熱性、及び、遮音性を確保している。
【００２５】
室外側化粧モール１４、及び、室内側化粧モール１５は、それぞれ、図３（Ａ）（Ｂ）に示すように、アルミ押出材により形成された平板から構成された枠状に形成されている。室外側化粧モール１４は、親扉２と子扉３との隙間１１を室外側から被覆するように、親扉２の室外側の見付面２１に接着固定されている。室内側化粧モール１５は、親扉２と子扉３との隙間１１よりも枠体４側において、親扉２の室内側の見付面２２に接着固定されている。また、室内側化粧モール１５は、親扉２と子扉３との隙間１１を被覆していないから、図４に示すように、子扉３は、室内側化粧モール１５に干渉されることなく、親扉２の子扉開口部２０に対して、スムーズに開閉されることとなる。
【００２６】
こうして、子扉付きドア１は、室外側化粧モール１４が、閉状態における親扉２と子扉３との隙間１１を室外側（他方側）から被覆するから、例えば、室外側から見て、親扉２と子扉３との隙間１１が露出することがなくなる。これにより、子扉付きドア１の外観を美しいものとすることができる。また、本実施形態のように、親扉２と子扉３とが同一の鋼板から構成された場合には、室外側化粧モール１４により、子扉３の存在を隠すことができ、防犯性の確保を図ることができる。
【００２７】
さらに、子扉付きドア１には、図５〜図７に示すように、子扉３に親扉２に対する施錠部５が設けられている。施錠部５は、子扉３の室内側の見付面３２に設置されたハンドル５１及びハンドルケース５２と、この子扉３の室外側の見付面３１においてハンドル５１に対向配置されたキーシリンダー５３と、上下一対のロッド６と、一対のロッド６を受ける一対のロッド受け７と、デッドボルト８と、デッドボルト８を受ける錠受け９と、を備えて構成されている。上下一対のロッド６、及び、デッドボルト８は、請求項中の「ロック部」の相当し、一対のロッド受け７、及び、錠受け９は、請求項中の「ロック受け部」に相当する。
【００２８】
一対のロッド６は、図５、図７に示すように、子扉３の上下の見込面３６、３７に突没自在に設けられている。一対のロッド６は、ハンドル５１又はキーシリンダー５３の操作により、その回転動が、例えば、クランク機構５４によって上下動に変換されることにより、子扉開口部２０の上下の見込面に埋め込まれたロッド受け７に対して突没（進退）されることで、ロッド受け７に係脱自在に施解錠を行うものである。
【００２９】
各ロッド６は、図７に示すように、それぞれ、上下方向に延在するブロック状に形成されているとともに、奥行き方向（矢印Ｚ方向）に相対する室外側外面６１及び室内側外面６２と、室内側外面６２の先端部に設けられ、ロッド６の先端に向かうに従って、子扉回動方向の一方（室内）から他方側（室外側）に近付く方向に傾斜する傾斜面６３と、を有して構成されている。ここで、子扉回動方向とは、子扉スプリングヒンジ１９の軸（矢印Ｙ方向）を回転中心とした方向のことである。
【００３０】
このような各ロッド６は、傾斜面６３と室外側外面６１との成す角（傾斜面６３の傾斜角度）が３５度になるように形成した。尚、本実施形態において、上記傾斜面６３の傾斜角度はあくまでも一例であり、本考案においては用途に応じて適宜設計すればよく、各ロッド６としては、傾斜面６３の傾斜角度が３０度以上４０度以下になるように形成されていることが好ましく、３２度以上３８度以下になるように形成されていることがより好ましい。
【００３１】
一対のロッド受け７は、図７に示すように、軸方向が上下に延在するように形成された四角筒状に形成されて、ロッド６を進入させる角筒状部７０と、この角筒状部７０におけるロッド６進入方向下流側の端部からフランジ状に延在して設けられて、角筒状部７０を親扉２の第４対向部２６に固定される固定部７３と、を一体に備えて構成されている。角筒状部７０の内面には、ロッド６がロッド受け７内に進入した際に、ロッド６の室外側外面６１に対向する室外側内面７１と、ロッド６の室内側外面６２に対向する室内側内面７２と、が設けられている。即ち、ロッド受け７における室内側内面７２と室外側内面７１とが、奥行き方向（矢印Ｚ方向）に互いに対向して設けられている。このようなロッド受け７は、固定部７３が親扉２の第４対向部２６に重ねられ、ネジなどの固定部材を用いて締結されることにより、親扉２の第４対向部２６に固定されている。
【００３２】
デッドボルト８は、図６、図７に示すように、子扉３の戸先側の見込面３８に突没自在に設けられている。このデッドボルト８は、ハンドル５１又はキーシリンダー５３の操作による回転動が、例えば、クランク機構５４によって左右動に変換されることにより、子扉開口部２０の戸先側の見込面に埋め込まれた錠受け９に対して突没（進退）されることで、錠受け９に係脱自在に施解錠を行うものである。
【００３３】
デッドボルト８は、左右方向に延在するブロック状に形成されているとともに、奥行き方向に沿って相対する室外側外面８１及び室内側外面８２と、この室内側外面８２の先端部に設けられ、デッドボルト８の先端に向かうに従って、子扉回動方向の一方（室内）から他方側（室外側）に近付く方向に傾斜する傾斜面８３と、を有して構成されている。
【００３４】
このようなデッドボルト８は、傾斜面８３と室外側外面８１との成す角（傾斜面８３の傾斜角度）が３５度になるように形成した。尚、本実施形態において、上記傾斜面８３の傾斜角度はあくまでも一例であり、本考案においては用途に応じて適宜設計すればよく、デッドボルト８としては、傾斜面８３の傾斜角度が３０度以上４０度以下になるように形成されていることが好ましく、３２度以上３８度以下になるように形成されていることがより好ましい。即ち、デッドボルト８の傾斜面８３の傾斜角度は、ロッド６の傾斜面６３の傾斜角度と略等しくなるように形成されている。
【００３５】
錠受け９は、図７に示すように、子扉開口部２０の戸先側の見込面に凹に設けられた穴部（図示しない）に重ねて設けられる一対の貫通孔９０を有する板状部から構成されている。各穴部及び貫通孔９０は、その上下方向（矢印Ｙ方向）に沿う寸法、奥行き方向（矢印Ｚ方向）に沿う寸法が、略等しくなるように形成されている。穴部及び貫通孔９０の内面には、デッドボルト８が錠受け９内に進入した際に、デッドボルト８の室外側外面８１に対向する室外側内面９１と、デッドボルト８の室内側外面８２に対向する室内側内面９２と、が設けられている。即ち、錠受け９における室外側内面９１と室内側内面９２とが、奥行き方向に互いに対向して設けられている。このような錠受け９は、板状部が親扉２の第４対向部２６に重ねられ、ネジなどの固定部材を用いて締結されることにより、親扉２の第４対向部２６に固定されている。
【００３６】
クランク機構５４は、図７に示すように、ハンドル５１又はキーシリンダー５３の操作によって連動して回転するカム板５５と、このカム板５５の回転に応じて一対のロッド６及びデッドボルト８を突没させるリンク（図示しない）と、これらカム板５５及びリンクを収容する錠ケース５６と、を備えて構成されている。リンクは、カム板５５と各ロッド６との間、カム板５５とデッドボルト８との間、にそれぞれ回動自在に介在して設けられている。このようなクランク機構５４により、上下横３か所の同時施解錠を自在にしている。このように一対のロッド６により上下２か所、及び、デッドボルト８により横１ヶ所の合計３か所の３点施錠を同時に行うことにより、子扉３は親扉２に対して強固且つ確実な施錠をなし得て、子扉３の防犯性を高度に確保することができる。
【００３７】
続いて、本考案の作用効果について説明する。ハンドル５１又はキーシリンダー５３の操作によってカム板５５を回転させることにより、これに連動して、一対のロッド６及びデッドボルト８が、それぞれ、一対のロッド受け７及び錠受け９内に進入する。
【００３８】
この際、一対のロッド６の傾斜面６３が、図７に示すように、一対のロッド受け７の縁７ｅ（親扉２の第４対向部２６と一対のロッド受け７の室内側内面７２との境界に位置する縁）に当接する。さらに進入するに伴って、傾斜面６３の傾斜に沿って、子扉３が親扉２の他方（室外）側に押されつつ移動される。これと同時に、デッドボルト８の傾斜面８３が、錠受け９の縁（親扉２の第４対向部２６と錠受け９の室内側内面９２との境界に位置する縁）に当接する。さらに進入するに伴って、傾斜面８３の傾斜に沿って、子扉３が親扉２の他方（室外）側に押されつつ移動される。
【００３９】
これにより、子扉３が、子扉気密ゴム１３及び、室外側化粧モール１４に押し付けられることとなり、子扉３が親扉２に対して奥行き方向（矢印Ｚ方向）に位置決めされることとなる。こうして、子扉３のロック状態において、より一層、親扉２に対するがたつきの防止を図ることができる。
【００４０】
このように、子扉３のロック状態において、子扉３が親扉２に対してがたつくことの防止を図ることができるから、例えば、親扉２を開閉した際や、風圧などに生じる、子扉３の親扉２に対するがたつきに起因する異音の発生の防止を図ることができる。
【００４１】
ここで、例えば、子扉３と親扉２とを連結する子扉スプリングヒンジ１９を固定するためのネジが緩んで、子扉３が開状態で、親扉２に対してがたついた状態であったとしても、子扉３が傾斜面６３、８３の傾斜に沿って親扉２に対して移動され、親扉２に対して位置決めされてロックされる。即ち、子扉３が親扉２に対してがたついた状態であっても、一対のロッド６及びデッドボルト８に傾斜面６３、８３が形成されているから、一対のロッド６及びデッドボルト８の先端部がロッド受け７及び錠受け９の縁に突き当たることなく、その傾斜面６３、８３がロッド受け７及び錠受け９の縁にそれぞれ当接することとなる。よって、傾斜面６３、８３の傾斜に沿って、一対のロッド６及びデッドボルト８をロッド受け７及び錠受け９内にスムーズに進入させることができる。そして、子扉３が親扉２に対して奥行き方向（矢印Ｚ方向）に位置決めされることとなる。つまり、子扉３が親扉２に対してがたついた状態であったとしても、子扉３をロックすることで、子扉３が、子扉気密ゴム１３及び、室外側化粧モール１４に押し付けられることとなるから、子扉３の親扉２に対するがたつきを小さくすることができる。
【００４２】
なお、上述した実施形態では、請求項中の「ロック部」は、一対のロッド６及びデッドボルト８から構成されていたが、本考案はこれに限定されるものではなく、一対のロッド６及び鎌錠から構成されていてもよい。即ち、デッドボルト８の代わりに鎌錠を用いてもよい。
【００４３】
また、上述した実施形態では、「ロック部及びロック受け部の組」が、上下及び戸先側の３方向に設けられていたが、本考案はこれに限定されるものではない。「ロック部及びロック受け部の組」が、上下の２方向に設けられていてもよい。即ち、デッドボルト８は、傾斜面８３を有して構成されていなくてもよい。
【００４４】
また、上述した実施形態では、請求項中の「子扉３の回動方向の一方」が室内側に相当し、「子扉３の回動方向の他方」が室外側に相当していたが、本考案はこれに限定されるものではない。請求項中の「子扉３の回動方向の一方」が室外側に相当し、「子扉３の回動方向の他方」が室内側に相当していてもよい。その場合には、一対のロッド及びデッドボルト（ロック部）は、その先端に向かうに従って、子扉回動方向の一方（室外）から他方側（室内側）に近付く方向に傾斜する傾斜面を有して構成されている。この際、被覆部が、閉状態における親扉２と子扉３との隙間１１を、室内側から被覆していてもよい。
【００４５】
また、上述した実施形態では、室外側化粧モール１４が、閉状態における親扉２と子扉３との隙間１１間を室外側から被覆しており、室内側化粧モール１５が、閉状態における親扉２と子扉３との隙間１１を室内側から被覆していなかったが、本考案はこれに限定されるものではない。室外側化粧モール１４が、閉状態における親扉２と子扉３との隙間１１を室外側から被覆し、室内側化粧モール１５が、閉状態における親扉２と子扉３との隙間１１を室内側から被覆していてもよい。
【００４６】
また、上述した実施形態では、子扉３のロック状態で、子扉３が、子扉気密ゴム１３及び、室外側化粧モール１４に押し付けられていたが、子扉３のロック状態で、子扉３が、子扉気密ゴム１３のみに押し付けられていてもよい。その場合には、室外側化粧モール１４は省略してもよい。即ち、子扉付きドア１が、室外側化粧モール１４を有さずとも、子扉３のロック状態で、子扉３が、親扉２の何れかの場所に押し付けられていてもよい。
【００４７】
上述した実施形態として以上のとおりの形態としたが、本考案はこれに限定されるものではない。即ち、デッドボルト８及び錠受け９の近傍にラッチ及びラッチ受けを設けてもよいし、デッドボルト８及び錠受け９の近傍にマグネットキャッチ及びこのマグネットキャッチを吸着させる吸着板を設けていてもよい。
【００４８】
前述した各実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の子扉付きドアの構成を具備する限り、勿論、本考案の範疇に含まれるものである。
【符号の説明】
【００４９】
１      子扉付きドア
２      親扉
３      子扉
５      施錠部
６      一対のロッド（ロック部）
７      ロッド受け（ロック受け部）
８      デッドボルト（ロック部）
９      錠受け（ロック受け部）
１４    室外側化粧モール（被覆部）
２０    子扉開口部
６３    傾斜面
８３    傾斜面
【図１】
0003189155.tif 000003
【図２】
0003189155.tif 000004
【図３】
0003189155.tif 000005
【図４】
0003189155.tif 000006
【図５】
0003189155.tif 000007
【図６】
0003189155.tif 000008
【図７】
0003189155.tif 000009